(57)【要約】【課題】ノート型ディーブイアール等の携帯型記録再生装置を提供する。【解決手段】ハウジング内にビデオおよびオーディオ信号の貯蔵および制御手段が備えられたディーブイアール（Ｄｉｇｉｔａｌ  Ｖｉｄｅｏ  Ｒｅｃｏｒｄｅｒ）等の携帯型記録再生装置において、前記ハウジングの上面一部にフロントパネルスイッチ部を配設し、前記ハウジングの上面一部に、前記フロントパネルスイッチ部に対して開閉可能にヒンジホルダーによってディスプレイパネルを結合し、前記ハウジングの背面にオーディオおよびビデオ信号用の入／出力部を延長設置してなる装置を提供する。【選択図】図２
2004213851.tif 000002
【特許請求の範囲】
【請求項１】
ハウジング内にビデオおよびオーディオ信号の貯蔵および制御手段が備えられた携帯型記録再生装置において、前記ハウジングの上面一部にフロントパネルスイッチ部を配設し、前記ハウジングの上面一部に、前記フロントパネルスイッチ部に対して開閉可能にヒンジホルダーによってディスプレイパネルを結合し、前記ハウジングの背面にオーディオおよびビデオ信号用の入／出力部を延長設置してなることを特徴とする携帯型記録再生装置。
【請求項２】
前記映像およびオーディオ信号用の入／出力部は、各種撮像素子からの映像がチャネル別に入力されるビデオ信号入力ポートと、オーティオ信号が入力されるオーティオ信号入力ポートと、ビデオ信号出力ポートと、オーディオ信号出力ポートと、ランカードからの出力を連結するバス型ラン用ポートと、シリアル通信用シリアルポートと、を含めてなることを特徴とする請求項１記載の携帯型記録再生装置。
【請求項３】
前記映像およびオーディオ信号用の入／出力部は、センサー部からのセンシング値が入力されるセンサー部ポートと、警報信号が入力される警報ポートとをさらに含めてなることを特徴とする請求項１または２記載の携帯型記録再生装置。
【発明の詳細な説明】
【０００１】
【発明の属する技術分野】
本発明は、ノード型ディーブイアール（Ｄｉｇｉｔａｌ  Ｖｉｄｅｏ  Ｒｅｃｏｒｄｅｒ：以下、‘ＤＶＲ’と称する）等の携帯型記録再生装置に関し、ノート形態のハウジングの上面にＬＣＤ（Ｌｉｑｕｉｄ  Ｃｒｙｓｔａｌ  Ｄｉｓｐｌａｙ）パネルをヒンジ構造で結合し開閉可能にし、そのＬＣＤパネルの背面に入出力ポートを延長設置してビデオおよびオーディオ信号を該当チャネル別に連結できるようにした装置に関する。
【０００２】
【従来の技術】
一般に、ＤＶＲは、ＣＣＤ（Ｃｈａｒｇｅ  Ｃｏｕｐｌｅｄ  Ｄｅｖｉｃｅ）カメラで撮影した映像をディジタル変換してメモリに貯蔵しておき、再生時その貯蔵された映像を読み出してアナログ変換し、モニタを通じて使用者に提供する機器である。このとき、貯蔵する映像のデータ量を減らすために製造社独特のコーデック技術を開発し、フレーム数を減らしたり画質の劣化させたりしている。
【０００３】
かかる方式のＤＶＲは、信号を貯蔵するメモリを含む本体と、映像をディスプレイするモニタと、必要時にモニタを見ながら必要な撮影条件を入力するキーボードと、映像を撮影して本体に送る撮像素子（ＣＣＤカメラ）とを含めて構成されが、これらの多くの構成素子を全て備えなければならないため、多い空間と設置人力が必要とされる問題があった。
【０００４】
【発明が解決しようとする課題】
本発明は、前記問題点に鑑みてなされたものであり、本体の大きさをノートサイズに縮め、その本体に一般のＬＣＤパネルを開閉可能に取り付け、本体の背面にはオーディオおよびビデオ信号・センサー部からのセンシング値・警報信号のための各入出力ポートを配設することによって、単一機器で各信号の入出力およびディスプレイを可能にするとともに持ち運びを可能にした小型のノート型ＤＶＲを提供することにその目的がある。
【０００５】
【課題を解決するための手段】
前記目的を達成するために、本発明は、ハウジングの上面一部にフロントパネルスイッチ部を設け、該フロントパネルスイッチ部に対して開閉可能にディスプレイバネルを取り付け、ハウジングの背面にはオーディオおよびビデオ信号と各種センシング値および警報信号が連結されるポートを備え、ハウジング内にはＤＶＲ制御部（回路）を内蔵する。
【０００６】
【発明の実施の形態】
本発明は、ハウジング内にビデオおよびオーディオ信号の貯蔵および制御手段が備えられた携帯型記録再生装置において、ハウジングの上面一部にフロントパネルスイッチ部を配設し、前記ハウジングの上面一部に、前記フロントパネルスイッチ部に対して開閉可能にディスプレイパネルをヒンジ結合し、前記ハウジングの背面にはオーディオおよびビデオ信号用の入／出力部を延長設置してなるノート型ＤＶＲ等の携帯型記録再生装置を提供する。
【０００７】
ここで、前記ビデオおよびオーディオ信号用の入／出力部は、各映像がチャネル別に入力されるビデオ信号入力ポートと、オーディオ信号が入力されるオーディオ信号入力ポートと、ビデオ信号出力ポートと、オーティオ信号出力ポートとを含む。
【０００８】
また、  前記ビデオおよびオーディオ信号用の入／出力部は、センサー部および警報部からの信号が入力されるセンサーポートおよび警報ポートをさらに含む。
以下、添付図面を参照して実施例を具体的に説明する。
【０００９】
図１は、本発明の内部ブロック構成図であって、本発明にかかる携帯型記録再生装置であるノート型ＤＶＲは、オーディオおよびオーディオ信号などを入力および出力させる入／出力部１０と、各種制御信号を指示するフロントパネルスイッチ部２０と、該フロントパネルスイッチ部２０のスイッチング状態を認識してメインプロセッサ４０に提供し、シリアルポートＲＳ−２３２を通じた通信を行うマイコン３０と、前記入／出力部１０からの入力信号を受信し、それらの信号を貯蔵および出力するための全般的な制御を行うメインプロセッサ４０と、メインプロセッサ４０からの出力データを受信してアナログ変換し出力させるコンバータ５０と、必要時メインプロセッサ４０の制御を受けて動作してネットワーキングを可能にするランカード６０とを含む。また、参照部号７０は貯蔵媒体であって、ハードディスクドライブ（ＨＤＤ）や他の貯蔵媒体からなり、８０はメインプロセッサ４０の制御を受けて映像信号をディスプレイさせるＬＣＤである。ここで、前記マイコン３０、メインプロセッサ４０、コンバータ５０、ラン（ＬＡＮ）カード６０および貯蔵媒体７０は、ＤＶＲ制御部１００を構成する。
【００１０】
前記入／出力部１０は、各種撮像素子からの映像がチャネル別に入力されるビデオ信号入力ポート１１と、オーティオ信号が入力されるオーティオ信号入力ポート１２と、ビデオ信号出力ポート１３と、オーディオ信号出力ポート１４と、ランカード６０からの出力を連結するバス型ラン（ＬＡＮ）用ポートであるイーサネット（登録商標）ポート１５と、シリアル通信用シリアルポートＲＳ−２３２と、センサー部からのセンシング値が入力されるセンサー部ポート１６と、警報信号が入力される警報ポート１７とからなる。
【００１１】
図２は、本発明の構成を示す斜視図であって、ハウジング９０の上面一部に形成したフロントパネルスイッチ部２０と、該フロントパネルスイッチ部２０に対して開閉可能に、ハウジング９０上面の一部角に突出したヒンジホルダー８２でヒンジ結合されたティスプレイ板８１に内蔵されたＬＣＤ８０と、ハウジング９０の背面から延長形成された入／出力部１０が示されている。前記ヒンジホルダー８２は、入／出力部１０とフロントパネル２０との界面に配設するのが好ましい。
【００１２】
図３は、本発明の入／出力部を説明するためのハウジングの背面斜視図であって、ハウジング９０の背面から延長形成した入／出力部１０は、ビデオ／オーディオ信号入力ポート１１、１２と、ビデオ／オーディオ信号出力ポート１３、１４と、イーサネット（登録商標）ポート１５と、センサー部ポート１６と、警報ポート１７と、シリアルポートＲＳ−２３２と、パワージャック１８とからなる。
【００１３】
このように構成される本発明では、図１および図３に示したビデオ信号入力ポート１１およびオーディオ信号入力ポート１２を通じて望むチャネルのビデオ信号およびオーディオ信号を選択し受信する。すると、その受信信号をフロントパネルスイッチ部２０のスイッチング動作によってマイコン３０が認識した後、メインプロセッサ４０に印加する。該メインプロセッサ４０は前記受信した選択チャネルの信号を貯蔵媒体７０に貯蔵すると同時に、ＬＣＤ８０を通じてディスプレイさせるか、または、必要に応じてビデオ出力ポート１３とオーディオ出力ポート１４を通じて該当機器（ビデオ機器など）  にディスプレイさせてもよく、別途貯蔵してもいい。勿論、このとき、ビデオ出力のためには貯蔵媒体７０に貯蔵されたビデオ信号をビデオ出力ポート１３から出力し、オーディオ信号はコンバータ５０を通じてアナログ信号に変換した後オーディオ信号出力ポート１４から出力する。
【００１４】
さらに、ランカード６０を通じてイーサネット（登録商標）ポート１５に連結してネットワーキングを構築することもできる。
【００１５】
このように一般のＤＶＲの全機能を果たし得る本発明は、ハウジング９０を持ち運び可能にノート形態に構成し、操作のためのフロントパネルスイッチ部２０をハウジング９０の上面一部に構成して操作を容易にし、且つ、ディスプレイパネル８１をフロントパネルスイッチ部２０に対して開閉可能に構成し、携帯および移動時にはそのディスプレイパネル８１を閉じ嵩を減らすことで持ち運びやすくし、  使用時にはティスプレイ板８１を開いて図２のようにして使用できるようにしたため、  別途のモニタを備えずに済み、取り扱いが便利である。
【００１６】
また、本発明は、図２および図３に示すように、入／出力部１０をハウジング９０の背面から延長形成し、オーディオおよびビデオ信号、各種の入出力信号を該当ポートを通じて受信するため、既存のＤＶＲにおける全ての機能が具現可能で、機能劣化の恐れを排除した。つまり、本発明は、入／出力部１０をハウジング９０の背面に延長形成し、ハウジング９０をノート形態に構成した場合にも既存機器の全機能を具現できるようにしたのである。なお、本発明は、入／出力部１０とフロントパネルスイッチ部２０との界面にディスプレイパネル８１をヒンジホルダー８２でヒンジ結合してフロントパネルスイッチ部２０に対してディスプレイパネル８１が容易に開閉されるようにしたし、ヒンジ結合されたティスプレイ板８１にはＬＣＤ８０を内蔵させてディスプレイ機能を具現した。
【００１７】
以上では本発明を具体的な実施例および図面に上げて説明したが、本発明はこれに限定されることなく、本発明の技術的思想を外れない範囲内でさまざまな変形が可能なことは当分野で通常の知識を持つ者にとって自明である。
【００１８】
【発明の効果】
以上の如く、本発明は、ノード形態のハウジングの上面一部にフロントパネルスイッチ部を配設し、ハウジング内にはＤＶＲ制御部を設けてＤＶＲ機能を行うようにすると同時に、フロントパネルスイッチ部に対して開閉可能に一体形成されたディスプレイパネルにＬＣＤを内蔵させてディスプレイ機能を具現したため、使用および設置か容易であり、また、ハウジングの背面から延長形成された入／出力部に各種入出力信号を連結するポートを設け、制御部の指令に基づいて望むチャネルを選択しＤＶＲ機能の具現を可能にしたため、単一機器でＤＶＲの全機能を具現でき、設置空間を縮めるとともに移動性を向上させることができる。
【図面の簡単な説明】
【図１】本発明のブロック構成図。
【図２】ディスプレイを開いた状態の本発明の斜視図。
【図３】本発明の本体の背面を拡大した斜視図。
【符号の説明】
１０：入／出力部
１１：ビデオ信号入力ポート
１２：オーディオ信号入力ポート
１３：ビデオ信号出力ポート
１４：オーディオ信号出力ポート
１５：イーサネット（登録商標）ポート
１６：センサー部ポート
１７：警報ポート
２０：フロントパネルスイッチ部
３０：マイコン
４０：メインプロセッサ
５０：コンバータ
６０：ランカード
７０：貯蔵媒体
８０：ＬＣＤ
８１：ディスプレイパネル
８２：ヒンジホルダー
９０：ハウジング
１００：ＤＶＲ制御部
【図１】
2004213851.tif 000003
【図２】
2004213851.tif 000004
【図３】
2004213851.tif 000005